(57)【要約】【課題】筐体の内部空間に配線されるケーブルを簡単な構造で適切に保持できる電子機器を提供する。【解決手段】ファン装置５００は、縦壁部１０２ｃと、縦壁部１０２ｃに対向するファン装置５００の側面部５０１ｂとの間にケーブル４３１〜４３３が配線される隙間通路ＡＳが形成されるように、上面部１０２ｕの内面に、配置されている。側面部５０１ｂには、縦壁部１０２ｃに向かって延びる突起５０１ｅ、５０１ｆが設けられている。ケーブルガイドシート６００の一端側の縦面部６００ａが縦壁部１０２ｃに固着されている。ケーブルガイドシート６００は、他端側の横面部６００ｂが、隙間通路ＡＳに配線されたケーブル４３１〜４３３を上面部１０２ｕとは反対側から覆うように、折り曲げられている。他端側の横面部６００ｂの先端部６００ｃが突起５０１ｅ、５０１ｆの上面部１０２ｕ側に配置され、突起５０１ｅ、５０１ｆにより係止される。【選択図】図４
2019139502.tif 000002
【特許請求の範囲】
【請求項１】
筐体と、
前記筐体の内部空間に収容される所定装置、ケーブル、及びケーブルガイドシートと、を備え、
前記筐体の所定面部の内面には、前記内部空間に突出するように、縦壁部が立設され、
前記所定装置は、前記縦壁部と、前記縦壁部に対向する前記所定装置の側面部との間に前記ケーブルが配線される隙間通路が形成されるように、前記所定面部の内面に、配置され、
前記側面部には、前記縦壁部に向かって延びる突起が設けられ、
前記ケーブルガイドシートは、可撓性を有する平面状のシート材を利用して構成され、
前記ケーブルガイドシートの一端側の部分が前記縦壁部に固着され、
前記ケーブルガイドシートは、その他端側の部分が、前記隙間通路に配線された前記ケーブルを前記所定面部とは反対側から覆うように、折り曲げられ、前記他端側の部分の先端部が前記突起の前記所定面部側に配置され、前記突起により係止される、
電子機器。
【請求項２】
前記ケーブルガイドシートは、可撓性及び弾性を有する平面状のシート材を利用して構成されている、
請求項１に記載の電子機器。
【請求項３】
前記所定装置は、前記内部空間の空気を前記筐体の外部空間との間で換気するファン装置であり、
前記側面部は、前記ファン装置のファンブレードを収容するファンケースの一部である、
請求項１または２に記載の電子機器。
【発明の詳細な説明】
【技術分野】
【０００１】
本開示は、筐体の内部空間にケーブルが配線される電子機器に関する。
【背景技術】
【０００２】
特許文献１は、電子機器内に配線される線材を内部の所定位置に固定する構造を開示している。具体的には、電子機器内に配置されるファンのファンケースとダクトを利用して線材を係止する構造を開示している。
【先行技術文献】
【特許文献】
【０００３】
【特許文献１】特開２００７−１９３０７８号公報
【発明の概要】
【発明が解決しようとする課題】
【０００４】
特許文献１の構造では、ファンケースやダクトへの線材の係止や引き回しの構造が複雑となる。
【０００５】
本開示は、筐体の内部空間に配線されるケーブルを簡単な構造で適切に保持できる電子機器を提供する。
【課題を解決するための手段】
【０００６】
本開示の電子機器は、
筐体と、
筐体の内部空間に収容される所定装置、ケーブル、及びケーブルガイドシートと、を備える。
筐体の所定面部の内面には、内部空間に突出するように、縦壁部が立設されている。
所定装置は、所定面部の内面に、縦壁部と、縦壁部に対向する所定装置の側面部との間にケーブルが配線される隙間通路が形成されるように、配置されている。
側面部には、縦壁部に向かって延びる突起が設けられている。
ケーブルガイドシートは、可撓性を有する平面状のシート材を利用して構成されている。
ケーブルガイドシートの一端側の部分が縦壁部に固着されている。
ケーブルガイドシートは、その他端側の部分が、隙間通路に配線されたケーブルを所定面部とは反対側から覆うように、折り曲げられ、他端側の部分の先端部が突起の所定面部側に配置され、突起により係止される。
【発明の効果】
【０００７】
本開示によると、筐体の内部空間に配線されるケーブルを簡単な構造で適切に保持できる。
【図面の簡単な説明】
【０００８】
【図１】実施の形態１におけるコンピュータの斜視図である。
【図２】図１の矢印Ｚ１で示す部分を背面側筐体を取り外した状態で背面側から見た平面図
【図３】ファンの単体斜視図
【図４】図２のＺ２−Ｚ２断面位置における断面図
【図５】第２筐体の背面側筐体においてファンが配置される部分を、ケーブルガイドシートが折り曲げられていない状態で示した斜視図
【図６】ケーブルガイドシートが折り曲げていない状態での、図４と同じ断面位置における断面図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者は、当業者が本開示を十分に理解するために添付図面および以下の説明を提供するのであって、これらによって特許請求の範囲に記載の主題を限定することを意図するものではない。
【００１１】
（実施の形態１）
以下、図面を参照して実施の形態１を説明する。
【００１２】
［１−１．構成］
図１は、実施の形態１におけるコンピュータの斜視図である。
【００１３】
コンピュータ１００は、本開示における電子機器の一例であり、第１筐体１０１と、第２筐体１０２とを備える。コンピュータ１００は、第１筐体１０１と第２筐体１０２とがヒンジ１０３を介して相対回転可能に構成されたノートブック型のコンピュータである。
【００１４】
第１筐体１０１には、表示部２４０が備えられている。
【００１５】
第２筐体１０２には、キーボード２３１、タッチパッド２３２、操作ボタン２３３、ＣＰＵ４１１、ファン装置５００等が設けられている。
【００１６】
表示部２４０は、入力された画像信号に基づいて画像や映像を表示する。表示部２４０は、例えば液晶ディスプレイにより構成される。
【００１７】
キーボード２３１は、複数のキーを備え、ユーザにより押下されたキーに対応する信号を出力する。
【００１８】
タッチパッド２３２は、ユーザによりタッチされた位置に応じた信号を出力するポインティングデバイスである。
【００１９】
操作ボタン２３３は、押下式のボタンスイッチであり、ユーザにより押下されたときに押下されたことを示す信号を出力する。操作ボタン２３３は、例えば決定ボタンとして利用される。
【００２０】
ＣＰＵ４１１は、コンピュータ１００全体の動作を制御する。ＣＰＵ４１１は、記憶部２２０に格納されているＯＳや種々のアプリケーションプログラム、記憶部２２０に記憶されているデータ、種々の入力デバイス２３０等から入力された情報に基づいて演算処理を行い、後述する種々の機能を実現する。制御部２１０は、例えばＣＰＵ、ＭＰＵ、ＦＰＧＡ等で構成される。
【００２１】
ファン装置５００は、ＣＰＵ４１１の動作時にＣＰＵ４１１で発生する熱を第２筐体１０２の外部に排出する。
【００２２】
図２は、図１の矢印Ｚ１で示す部分を、背面側筐体を取り外して背面側から見た状態で示した平面図である。
【００２３】
第２筐体１０２の上側筐体１０２Ａの上面部１０２ｕ（所定面部）の内面には、回路基板４１０が取り付けられている。回路基板４１０には、ＣＰＵ４１１などの電子部品が実装される。また、上側筐体１０２Ａの上面部１０２ｕの内面には、ネジなどを利用してファン装置５００が取り付けられている。上側筐体１０２Ａの側面部１０２ｓには、ファン装置５００の排風を外部に排出させるための排風口１０２ａが設けられている。ファン装置５００のファンブレード５０２を収容するファンケース５０１には、上側筐体１０２Ａの排風口１０２ａに対向するように排気口（図示せず）が設けられ、排気口には冷却フィン４５１が取り付けられている。
【００２４】
図３は、ファンの単体斜視図である。
【００２５】
図２、図３に示すように、ファンケース５０１の底面部５０１ａには、ファンケース５０１内に空気を導入する吸気口５０１ｇが設けられている。また、冷却フィン４５１には、ヒートパイプ４５２の一端部が取り付けられている。ヒートパイプ４５２の他端部は、ＣＰＵ４１１のヒートシンク（図示せず）に取り付けられる。この構成により、ＣＰＵ４１１の動作時にＣＰＵ４１１で発生する熱は、ヒートシンク及びヒートパイプ４５２を介して冷却フィン４５１に伝達される。冷却フィン４５１に伝達された熱は、冷却フィン４５１にて、ファン装置５００の吸気口５０１ｇから導入されて排気口（図示せず）から送り出された空気（風）に放熱され、排風口１０２ａを介して第２筐体１０２の外部に排出される。
【００２６】
図２に示すように、上側筐体１０２Ａの筐体角部の近傍には、電源コネクタ４３０及びスピーカ４４０が配置されている。上側筐体１０２Ａの側面部１０２ｓには、電源プラグ差し込み口１０２ｂが設けられている。また、上側筐体１０２Ａの上面部１０２ｕには、スピーカ４４０に対向するように、音声出力用開口（図示せず）が設けられている。
【００２７】
図４は、図２のＺ２−Ｚ２断面位置における断面図である。図５は、第２筐体の背面側筐体においてファンが配置される部分を、ケーブルガイドシートが折り曲げられていない状態で示した斜視図である。
【００２８】
図２、図４、図５に示すように、上側筐体１０２Ａの上面部１０２ｕの内面には、第２筐体１０２の内部空間ＳＰ（ＳＰ１及びＳＰ２）に突出するように、縦壁部１０２ｃが立設されている。縦壁部１０２ｃは、第２筐体１０２の内部空間ＳＰを、回路基板４１０やファン装置５００が配置される主空間ＳＰ１と、バッテリ４６０が着脱可能に収容されるバッテリ収容空間ＳＰ２とに区分する。
【００２９】
主空間ＳＰ１の内部には、電源コネクタ４３０と回路基板４１０とを接続するケーブル４３１、４３２と、スピーカ４４０と回路基板４１０とを接続するケーブル４３３とが収容される。ケーブル４３１、４３２、４３３の各々は金属製の芯線と、芯線を被覆する被覆材とを有する。被覆材は例えば可撓性及び弾性を有する樹脂製であり、ケーブル４３１、４３２、４３３は曲げられた状態で配線されることができる。
【００３０】
ケーブル４３１、４３２、４３３の配線についてより具体的に説明すると、ケーブル４３１、４３２、４３３は、主空間ＳＰ１内において部品が配置されていない隙間の部分を利用して配線され、隙間の形状に応じて曲げられている。曲げられた状態のケーブル４３１、４３２、４３３は樹脂製の被覆材の弾性による復元力により、曲げが緩和される方向に変形しようとする。そのため、隙間に収まるように配線しても、時間が経つと、ケーブル４３１、４３２、４３３が隙間からはみ出す可能性がある。これを防止するため、本実施の形態のコンピュータ１００では以下の構成を採用している。
【００３１】
図２、図４に示すように、ファン装置５００は、上側筐体１０２Ａの縦壁部１０２ｃと、縦壁部１０２ｃに対向するファン装置５００の側面部５０１ｂとの間にケーブル４３１〜４３３が配線される隙間通路ＡＳが形成されるように、配置されている。
【００３２】
ファン装置５００のファンケース５０１の側面部５０１ｂには、図３にもあわせて示すように、上側筐体１０２Ａの縦壁部１０２ｃに向かって延びる突起５０１ｅ、５０１ｆが設けられている。
【００３３】
上側筐体１０２Ａの縦壁部１０２ｃには、ケーブルガイドシート６００の一端側が固着されている。ケーブルガイドシート６００は、可撓性及び弾性を有する樹脂製のシート材を利用して構成されている。ケーブルガイドシート６００において上側筐体１０２Ａの縦壁部１０２ｃに固着される部分を、以下適宜、縦面部６００ａ（一端側の部分）という。縦面部６００ａは、上側筐体１０２Ａの縦壁部１０２ｃに例えば接着剤を利用して取り付けられる。
【００３４】
ここで、ケーブルガイドシート６００は、図５、図６に示すように、初期状態では、弾性により、断面Ｉ字状の平面状の形状を有している。図６は、ケーブルガイドシートが折り曲げられていない状態での、図４と同じ断面位置における断面図である。
【００３５】
図２、図４に示すように、ケーブルガイドシート６００は、他端側の部分６００ｂ（以下適宜「横面部６００ｂ」という）が、隙間通路ＡＳに配線されたケーブル４３１〜４３３を上面部１０２ｕとは反対側から覆うように、断面Ｌ字状に折り曲げられている。折り曲げられた状態で、他端側の横面部６００ｂの先端部６００ｃが突起５０１ｅ、５０１ｆの上面部１０２ｕ側に配置され、突起５０１ｅ、５０１ｆにより係止される。
【００３６】
このような構造によると、ケーブル４３１〜４３３を隙間通路ＡＳ内に収め、ケーブルガイドシート６００を折り曲げてその横面部６００ｂを突起５０１ｅ、５０１ｆで係止するだけで、隙間通路ＡＳから離脱しないようにケーブル４３１〜４３３を保持できる。また、隙間通路ＡＳに配線されたケーブル４３１〜４３３は、バンドや係止突起等により拘束されないので、隙間通路ＡＳ内で三次元的に移動可能である。これにより、ケーブル４３１〜４３３は、予定位置から若干ずれて配線されたとしても、ケーブル自体の弾性等により、テンションが緩和される方向に適宜に移動できる。そのため、ケーブル４３１〜４３３の配線作業を容易化できる。また、配線後のケーブル４３１〜４３３に強いテンションが継続的に作用するようなことが抑制される。
【００３７】
また、例えばコンピュータ１００内部の点検等に際してケーブル４３１〜４３３の配線状態を一時的に変更する必要があるような場合、ケーブルガイドシート６００の横面部６００ｂを点検者がつまんで引き上げるなどして、横面部６００ｂの先端部６００ｃの突起５０１ｅ、５０１ｆに対する係止を解除させるだけで、ケーブルガイドシート６００は、素材自体の復元力により図５、図６の断面Ｉ字状の初期状態に戻る。このとき、ケーブルガイドシート６００に覆われていた隙間通路ＡＳのケーブル４３１〜４３３が露出する。そのため、ケーブル４３１〜４３３の配線状態の変更に速やかにとりかかることができる。一方、点検等が終わった場合、ケーブル４３１〜４３３を隙間通路ＡＳ内に戻した後、上述のように、ケーブルガイドシート６００を断面Ｌ字状に折り曲げて、横面部６００ｂの先端部６００ｃを突起５０１ｅ、５０１ｆで係止させることで、ケーブル４３１〜４３３が隙間通路ＡＳからはみ出さないように保持できる。
【００３８】
［１−２．効果等］
（１）本実施の形態のコンピュータ１００（電子機器の一例）は、
第２筐体１０２（筐体の一例）と、
第２筐体１０２の内部空間ＳＰに収容されるファン装置５００（所定装置の一例）、ケーブル４３１〜４３３、及びケーブルガイドシート６００と、を備える。
第２筐体１０２の上面部１０２ｕ（所定面部の一例）の内面には、内部空間ＳＰに突出するように、縦壁部１０２ｃが立設されている。
ファン装置５００は、縦壁部１０２ｃと、縦壁部１０２ｃに対向するファン装置５００の側面部５０１ｂとの間にケーブル４３１〜４３３が配線される隙間通路ＡＳが形成されるように、上面部１０２ｕの内面に、配置されている。
側面部５０１ｂには、縦壁部１０２ｃに向かって延びる突起５０１ｅ、５０１ｆが設けられている。
ケーブルガイドシート６００は、可撓性を有する平面状のシート材を利用して構成されている。
ケーブルガイドシート６００の一端側の縦面部６００ａ（一端側の部分）が縦壁部１０２ｃに固着されている。
ケーブルガイドシート６００は、他端側の横面部６００ｂ（他端側の部分）が、隙間通路ＡＳに配線されたケーブル４３１〜４３３を上面部１０２ｕとは反対側から覆うように、折り曲げられ、他端側の横面部６００ｂの先端部６００ｃが突起５０１ｅ、５０１ｆの上面部１０２ｕ側に配置され、突起５０１ｅ、５０１ｆにより係止される。
【００３９】
これにより、コンピュータ１００（電子機器の一例）の第２筐体１０２（筐体の一例）の内部空間ＳＰに配線されるケーブル４３１〜４３３を簡単な構造で適切に保持できる。
【００４０】
（２）本実施の形態のコンピュータ１００において、
ケーブルガイドシート６００は、可撓性及び弾性を有する平面状のシート材を利用して構成されている、
【００４１】
これにより、コンピュータ１００内部の点検等に際してケーブル４３１〜４３３の配線状態を一時的に変更する必要があるような場合に、ケーブルガイドシート６００の突起５０１ｅ、５０１ｆによる係止を解除すると、ケーブルガイドシート６００自体の可撓性及び弾性により平面状に戻って隙間通路ＡＳが露出するため、ケーブル４３１〜４３３の配線状態の変更に速やかにとりかかることができる。
【００４２】
（３）本実施の形態のコンピュータ１００において、
ファン装置５００は、内部空間ＳＰの空気を第２筐体１０２の外部空間との間で換気するファン装置である。
側面部５０１ｂは、ファン装置５００のファンブレード５０２を収容するファンケース５０１の一部である。
【００４３】
これにより、コンピュータ１００等の電子機器において設けられることの多いファン装置のファンケースを利用して、突起５０１ｅ、５０１ｆを形成することができる。
【００４４】
（他の実施形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００４５】
（１）前記実施の形態では、本開示における電子機器をノートブック型のコンピュータに適用した場合について説明した。しかし、本開示は、ノートブック型のコンピュータ以外にも、スマートフォン、タブレット型コンピュータ、携帯型ゲーム機器、デジタルアメラ等、筐体の内部空間にケーブルが配線される種々の電子機器に適用可能である。
（２）前記実施の形態では、本開示における所定装置がファンである場合について説明した。しかし、所定装置は、ファンに限らず、電子機器の筐体の内部空間に収容される装置や部品であればどのようなものでもよい。例えば、所定装置は、ハードディスク装置などであってもよい。
【００４６】
以上のように、本開示における技術の例示として、実施の形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。また、上述の実施の形態は、本開示における技術を例示するためのものであるから、特許請求の範囲またはその均等の範囲において種々の変更、置き換え、付加、省略などを行うことができる。
【産業上の利用可能性】
【００４７】
本開示は、筐体の内部空間にケーブルが配線される電子機器において広く利用可能である。
【符号の説明】
【００４８】
１００  コンピュータ
１０１  第１筐体
１０２  第２筐体
１０２ａ  排風口
１０２ｂ  電源プラグ差し込み口
１０２ｃ  縦壁部
１０２ｕ  上面部
１０２ｓ  側面部
１０３  ヒンジ
２３０  入力デバイス
２３１  キーボード
２３２  タッチパッド
２３３  操作ボタン
２４０  表示部
４１０  回路基板
４１１  ＣＰＵ
４３０  電源コネクタ
４３１  ケーブル
４３２  ケーブル
４３３  ケーブル
４４０  スピーカ
４５１  冷却フィン
４５２  ヒートパイプ
４６０  バッテリ
５００  ファン装置
５０１  ファンケース
５０１ａ  底面部
５０１ｂ  側面部
５０１ｅ  突起
５０１ｆ  突起
５０１ｇ  吸気口
５０２  ファンブレード
６００  ケーブルガイドシート
６００ａ  縦面部
６００ｂ  横面部
６００ｃ  先端部
ＡＳ  隙間通路
ＳＰ  内部空間
ＳＰ１  主空間
ＳＰ２  バッテリ収容空間
【図１】
2019139502.tif 000003
【図２】
2019139502.tif 000004
【図３】
2019139502.tif 000005
【図４】
2019139502.tif 000006
【図５】
2019139502.tif 000007
【図６】
2019139502.tif 000008